(57)【要約】  本発明は通信データアカウント処理方法及びその装置を開示する。方法は、端末ユーザーと関連付けられた通信データアカウントを端末ユーザー向けに確立し、通信データアカウントに対応する通信データリソース情報を記憶する操作と、通信データアカウントのための端末ユーザーの操作命令を受信する操作であって、操作命令がモバイル通信識別子を含む、受信する操作と、モバイル通信識別子に対応する通信サービスプロバイダを識別する操作と、通信サービスプロバイダのシステムインタフェースとの接続を確立し、通信サービスプロバイダのシステムインタフェースにモバイル通信識別子及びユーザーの操作命令を送信する操作と、通信サービスプロバイダのシステムインタフェースの応答情報を受信する操作と、応答情報に従って通信データアカウントに対して操作を実行する操作とを含む。本発明を使用することによって、データ割当ては事業者によるいかなる制限に悩むこともなく便利に転送できる。
2018506193.tif 000002
【特許請求の範囲】
【請求項１】
通信データアカウント処理方法であって、
端末ユーザーと関連付けられた通信データアカウントを前記端末ユーザーのために確立し、前記通信データアカウントに対応する通信データリソース情報を記憶することと、
前記通信データアカウントのための前記端末ユーザーの操作命令を受信することであって、前記操作命令がモバイル通信識別子を含む、ことと、
前記モバイル通信識別子に対応する通信サービスプロバイダを識別することと、
前記通信サービスプロバイダのシステムインタフェースとの接続を確立し、前記通信サービスプロバイダの前記システムインタフェースに前記モバイル通信識別子及び前記ユーザーの前記操作命令を送信することと、
前記通信サービスプロバイダの前記システムインタフェースの応答情報を受信することと、
前記応答情報に従って前記通信データアカウントに対して操作を実行することと、
を含む、通信データアカウント処理方法。
【請求項２】
前記応答情報に従って前記通信データアカウントに対して前記操作を実行することが、前記通信データアカウントに対応する前記通信データリソース情報を更新することを含み、前記通信データリソース情報が前記端末ユーザーに対応する通信データアカウントの通信データ割当てのサイズを含む、請求項１に記載の通信データアカウント処理方法。
【請求項３】
前記操作命令が、転送される通信データ割当ての量の情報をさらに備え、転送される通信データ割当ての前記量の前記情報が、前記モバイル通信識別子に対応する前記通信サービスプロバイダのアカウントシステムのアカウントに送信される通信データ割当ての量を含む、請求項１に記載の通信データアカウント処理方法。
【請求項４】
前記操作命令が検証情報をさらに含み、前記検証情報が前記操作命令を検証するために使用される、請求項１に記載の通信データアカウント処理方法。
【請求項５】
サードパーティユーザーによって送信される通信データ割当て修正命令を受信することであって、前記通信データ割当て修正命令が特定の端末ユーザーと関連付けられた通信データアカウント、及び前記特定の端末ユーザーと関連付けられた前記通信データアカウントに転送される通信データ割当ての量を備える、ことと、
前記通信データ割当て修正命令に従って前記特定の端末ユーザーと関連付けられた前記通信データアカウントに対応する通信データリソース情報を更新することと、
をさらに含む、請求項１に記載の通信データアカウント処理方法。
【請求項６】
通信データアカウント処理方法であって、
端末ユーザーと関連付けられた通信データアカウントを前記端末ユーザーのために確立し、前記通信データアカウントに対応する通信データリソース情報を記憶することであって、前記通信データリソース情報が前記通信データアカウントの通信データ割当ての対応するサイズを示す、ことと、
前記通信データアカウントのための前記端末ユーザーの通信データ割当て修正命令を受信することであって、前記通信データ割当て修正命令が他の端末ユーザーと関連付けられた通信データアカウント、及び前記他の端末ユーザーと関連付けられた前記通信データアカウントに転送される通信データ割当ての量を含む、受信することと、
前記通信データ割当て修正命令に従って前記他の端末ユーザーと関連付けられた前記通信データアカウントに対応する通信データリソース情報を更新することと、
を含む、前記通信データアカウント処理方法。
【請求項７】
通信データアカウント処理装置であって、
データ割当て記憶ユニットであって、前記データ割当て記憶ユニットは、端末ユーザーと関連付けられた通信データアカウントを前記端末ユーザーのために確立し、前記通信データアカウントに対応する通信データリソース情報を記憶する、データ割当て記憶ユニットと、
命令受信ユニットであって、前記命令受信ユニットは、前記通信データアカウントのための前記端末ユーザーの操作命令を受信し、前記操作命令がモバイル通信識別子を備える、命令受信ユニットと、
識別ユニットであって、前記識別ユニットは、前記モバイル通信識別子に対応する通信サービスプロバイダを識別する、識別ユニットと、
命令送信ユニットであって、前記命令送信ユニットは、前記通信サービスプロバイダのシステムインタフェースとの接続を確立し、前記通信サービスプロバイダの前記システムインタフェースに前記モバイル通信識別子及び前記ユーザーの前記操作命令を送信する、命令送信ユニットと、
応答受信ユニットであって、前記応答受信ユニットは、前記通信サービスプロバイダの前記システムインタフェースの応答情報を受信する、応答受信ユニットと、
操作ユニットであって、前記操作ユニットは、前記応答情報に従って前記通信データアカウントに対して操作を実行する、操作ユニットと、
を備える、通信データアカウント処理装置。
【請求項８】
通信データアカウント処理装置であって、
データ割当て記憶ユニットであって、前記データ割当て記憶ユニットは、端末ユーザーと関連付けられた通信データアカウントを前記端末ユーザーのために確立し、かつ前記通信データアカウントに対応する通信データリソース情報を記憶し、前記通信データリソース情報は、前記通信データアカウントの通信データ割当ての対応するサイズを示す、データ割当て記憶ユニットと、
命令受信ユニットであって、前記命令受信ユニットは、前記通信データアカウントのための前記端末ユーザーの通信データ割当て修正命令を受信し、前記通信データ割当て修正命令は、他の端末ユーザーと関連付けられた通信データアカウント及び前記他の端末ユーザーと関連付けられた前記通信データアカウントに転送される通信データ割当ての量を備える、命令受信ユニットと、
データ割当て更新ユニットであって、前記データ割当て更新ユニットは、前記通信データ割当て修正命令に従って前記他の端末ユーザーと関連付けられた前記通信データアカウントに対応する通信データリソース情報を更新する、データ割当て更新ユニットと、
を備える、通信データアカウント処理装置。
【発明の詳細な説明】
【技術分野】
【０００１】
本発明は通信の分野に関し、特に通信データアカウント処理方法及びその装置に関する。
【背景技術】
【０００２】
現在、ユーザーのために使用済みの通信データ割当てを逆方向に送付するサービスが市場で利用できる。例えば、アプリケーション（アプリ）使用後、ユーザーによるこのアプリケーションの使用中に発生するすべての通信データ使用量は、月末に事業者を介して送付される。データ割当てのこの種の緩和方法は多くの欠陥を有している。例えば、ユーザーは、アプリケーションの使用と関連付けられたデータ割当てが送付されることのみを知ることができるが、送付されるデータ割当ての量を決定することはできない。したがって、比較のための基準がないので、ユーザーはデータ使用料の状況を知ることができない。さらに、この既存の方法はある月に関連付けられたデータ割当てに対し、その月の末に決済を行い、緩和がタイムリーではない状況が存在することがある。さらに、いくつかのアプリケーションのデータ割当て緩和は、例えば、Ｃｈｉｎａ  Ｔｅｌｅｃｏｍのみで利用可能等、特定の通信事業者でのみ利用可能となるように制限されている。結果として、Ｃｈｉｎａ  Ｍｏｂｉｌｅ及びＣｈｉｎａ  Ｕｎｉｃｏｍのユーザーは自分のデータ割当てを送付させることはできない。
【発明の概要】
【０００３】
本発明の目的は、いつでも及びどこでも便利な方法で、事業者による制限に悩むことなくデータ割当ての転送を実行できる通信データアカウント処理方法及びその方法を提供することである。
【０００４】
上記の技術的課題を解決するため、本発明の第１の実施形態は、通信データアカウント処理方法を開示する。通信データリソース情報は操作命令に従って更新される。方法は、
端末ユーザーと関連付けられた通信データアカウントを端末ユーザー向けに確立し、通信データアカウントに対応する通信データリソース情報を記憶する操作と、
通信データアカウントのための端末ユーザーの操作命令を受信する操作であって、操作命令がモバイル通信識別子を含む、操作と、
モバイル通信識別子に対応する通信サービスプロバイダを識別する操作と、
通信サービスプロバイダのシステムインタフェースとの接続を確立し、通信サービスプロバイダのシステムインタフェースにモバイル通信識別子及びユーザーの操作命令を送信する操作と、
通信サービスプロバイダのシステムインタフェースの応答情報を受信する操作と、
応答情報に従って通信データアカウントに対して操作を実行する操作と、
を含む。
【０００５】
本発明の第２の実施形態は、通信データアカウント処理方法を開示する。方法は、
端末ユーザーと関連付けられた通信データアカウントを端末ユーザー向けに確立し、通信データアカウントに対応する通信データリソース情報を記憶する操作であって、通信データリソース情報が通信データアカウントの通信データ割当ての対応する量を示す、操作と、
通信データアカウントのための端末ユーザーの通信データ割当て修正命令を受信する操作であって、通信データ割当て修正命令が別の端末ユーザーと関連付けられた通信データアカウント、及び他の端末ユーザーと関連付けられた通信データアカウントに転送される通信データ割当ての量を含む、操作と、
通信データ割当て修正命令に従って他の端末ユーザーと関連付けられた通信データアカウントに対応する通信データリソース情報を更新する操作と、
を含む。
【０００６】
本発明の第３の実施形態は、通信データアカウント処理装置を開示する。処理装置は、
データ割当て記憶ユニットであって、端末ユーザーと関連付けられた通信データアカウントを端末ユーザー向けに確立し、通信データアカウントに対応する通信データリソース情報を記憶するデータ割当て記憶ユニットと、
命令受信ユニットであって、通信データアカウントのための端末ユーザーの操作命令を受信する命令受信ユニットであって、操作命令がモバイル通信識別子を含む命令受信ユニットと、
識別ユニットであって、モバイル通信識別子に対応する通信サービスプロバイダを識別する識別ユニットと、
命令送信ユニットであって、通信サービスプロバイダのシステムインタフェースとの接続を確立し、通信サービスプロバイダのシステムインタフェースにモバイル通信識別子及びユーザーの操作命令を送信する、命令送信ユニットと、
応答受信ユニットであって、通信サービスプロバイダのシステムインタフェースの応答情報を受信する応答受信ユニットと、
操作ユニットであって、応答情報に従って通信データアカウントに対して操作を実行する操作ユニットと、
を含む。
【０００７】
本発明の第４の実施形態は、通信データアカウント処理装置を開示する。処理装置は、
データ割当て記憶ユニットであって、端末ユーザーと関連付けられた通信データアカウントを端末ユーザー向けに確立し、通信データアカウントに対応する通信データリソース情報を記憶するデータ割当て記憶ユニットであって、通信データリソース情報が通信データアカウントの対応する通信データ割当ての量を示す、データ割当て記憶ユニットと、
命令受信ユニットであって、通信データアカウントのための端末ユーザーの通信データ割当て修正命令を受信する命令受信ユニットであって、通信データ割当て修正命令が別の端末ユーザーと関連付けられた通信データアカウント、及び他の端末ユーザーと関連付けられた通信データアカウントに転送される通信データ割当ての量を含む、命令受信ユニットと、
データ割当て更新ユニットであって、通信データ割当て修正命令に従って他の端末ユーザーと関連付けられた通信データアカウントに対応する通信データリソース情報を更新するデータ割当て更新ユニットと、
を含む。
【０００８】
既存の技術と比較すると、本発明の実施形態は以下の主要な相違点及び効果を有する。
【０００９】
通信データリソース情報は端末ユーザーの操作命令に基づいて更新されるので、データ割当ての転送の時間及び量は自由に制御され得、データ割当ての転送は通信事業者の制限を受けていても可能になる。
【００１０】
さらに、操作命令は悪意のある操作を防ぐために検証され得、このようにしてセキュリティを改善する。
【００１１】
さらに、ユーザーは他のユーザーのために通信データリソース情報を更新することを要求してよい。したがって、ユーザーは自身による使用または贈り物としての転送のためにデータ割当てを自由に制御し得る。
【図面の簡単な説明】
【００１２】
【図１】本発明の第１の実施形態に係る通信データアカウント処理方法の概略フローチャートである。
【図２】本発明の第２の実施形態に係る通信データアカウント処理方法の概略フローチャートである。
【図３】本発明の第３の実施形態に係る通信データアカウント処理装置の概略構造図である。
【図４】本発明の第４の実施形態に係る通信データアカウント処理装置の概略構造図である。
【発明を実施するための形態】
【００１３】
以下の説明では、読者が本願をよりよく理解するのに役立つためにいくつかの技術的な詳細が提供される。しかしながら、当業者は、本願の特許請求の範囲が対象とする技術的解決策が、説明されている技術的な詳細、並びに本明細書に説明される実施形態に基づく多様な変形及び変更なしでも実装できることを理解すべきである。
【００１４】
本発明の目的、技術的解決策、及び優位点をよりわかりやすくするために、本発明の実施形態はさらに添付図面を参照して以下に詳細に説明される。
【００１５】
本発明の第１の実施形態は、通信データアカウント処理方法に関する。図１は、処理方法の概略フローチャートである。
【００１６】
具体的には、処理方法は操作命令に従って通信データリソース情報を更新する。図１に示されるように、処理方法は、以下の操作を含む。
【００１７】
ステップＳ１０１で、端末ユーザーと関連付けられた通信データアカウントが端末ユーザー向けに確立され、通信データアカウントに対応する通信データリソース情報が記憶される。
【００１８】
本願の実施形態での通信データアカウントは、多様な通信サービスプロバイダから独立している、例えばｅ−コマースプラットフォーム等の仲介プラットフォームによって確立される。
【００１９】
ステップＳ１０２は、次いで通信データアカウントのための端末ユーザーの操作命令を受信するために実行される。操作命令は、モバイル通信識別子を含む。異なるモバイル通信識別子は異なる通信サービスプロバイダに対応してよい。異なる通信サービスプロバイダはモバイル通信識別子に従って対応するアカウントシステムを別々に確立する。
【００２０】
本願の実施形態では、端末ユーザーの操作命令は、端末ユーザーによって提供されるモバイル通信識別子に対応する通信サービスプロバイダのアカウントシステムのアカウントに、仲介プラットフォーム上の端末ユーザーの通信データアカウントの通信データ割当てを転送することを含む。
【００２１】
ステップＳ１０３は次いで、モバイル通信識別子に対応する通信サービスプロバイダを識別するために実行される。例えば、通信サービスプロバイダは、概してモバイル通信識別子の指定された文字位置にモバイル通信サービスのアクセスコードを設定してよい。したがって、モバイル通信識別子に対応する通信サービスプロバイダは、モバイル通信識別子のアクセスコードに基づいて識別される。
【００２２】
ステップＳ１０４は次いで、通信サービスプロバイダのシステムインタフェースと接続を確立し、通信サービスプロバイダのシステムインタフェースにモバイル通信識別子及びユーザーの操作命令を送信するために実行される。このステップは、あらゆるサービスプロバイダがいかなる制限にも悩むことなく送信用に専用のシステムインタフェースを有することを保証する。例えば、サービスプロバイダがＣｈｉｎａ  Ｍｏｂｉｌｅである場合、Ｃｈｉｎａ  Ｍｏｂｉｌｅによって提供される専用のシステムインタフェースが操作を実行するために使用される。サービスプロバイダがＣｈｉｎａ  ＵｎｉｃｏｍまたはＣｈｉｎａ  Ｔｅｌｅｃｏｍである場合、同様の操作が実行される。
【００２３】
ステップＳ１０５は次いで、通信サービスプロバイダのシステムインタフェースの応答情報を受信するために実行される。
【００２４】
ステップＳ１０６は次いで、応答情報に従って通信データアカウントに対して操作を実行するために実行される。
【００２５】
次いで、プロセスは終了する。
【００２６】
任意選択で、ステップＳ１０６での通信データアカウントに対する操作は、通信データアカウントに対応する通信データリソース情報を更新することであってよい。通信データリソース情報は、端末ユーザーに対応する通信データアカウントの通信データ割当てのサイズを含む。しかしながら、本発明はそれに制限されず、他の操作も実行されてよい。
【００２７】
任意選択で、操作命令は、転送される通信データ割当ての量の情報をさらに含む。転送される通信データ割当ての量の情報は、モバイル通信識別子に対応する通信サービスプロバイダのアカウントシステムのアカウントに転送される通信データ割当ての量を含む。転送される通信データ割当ての量の情報は、データ割当ての転送が実現可能であるかどうかを判断するために、通信データアカウントに対応する通信データリソース情報と比較されるために使用されてよい。例えば、転送される通信データ割当ての量が５０Ｍであるが、通信データアカウントに対応する通信データリソース情報が、データ割当てが１０Ｍにすぎないことを示す場合、転送されるデータ割当ては５０Ｍ未満である。この場合、転送を実施できないのは明らかである。しかしながら、本発明はそれに制限されず、転送される通信データ割当ての量の情報がなくても実装され得る。
【００２８】
任意選択で、操作命令は検証情報をさらに含む。検証情報は、操作命令を検証するために使用される。例えば、携帯電話に検証コードを送信する、電子メールボックスに検証リンクを送信する、検証ピクチャを直接的に表示する等のさまざまな検証方法が本発明に適用可能である。操作命令を検証することは、悪意のある操作を防ぎ、セキュリティを改善することができる。しかしながら、本発明はそれに制限されず、操作命令の検証操作なしでも実装され得る。
【００２９】
必ずではないが任意選択で、処理方法は、サードパーティユーザーによって送信される通信データ割当て修正命令を受信する操作であって、通信データ割当て修正命令は、特定の端末ユーザーと関連付けられた通信データアカウント、及び特定の端末ユーザーと関連付けられた通信データアカウントに転送される通信データ割当ての量を含む、操作と、通信データ割当て修正命令に従って特定の端末ユーザーと関連付けられた通信データアカウントに対応する通信データリソース情報を更新する操作とをさらに含む。（このステップは図１には示されていない。）サードパーティユーザーが通信データ割当て修正命令を送信するためのさまざまな方法が存在する。例えば、サードパーティユーザーが業者である場合、業者は、ユーザーの業者とのトランザクション操作が無事に終了した後にユーザーのための通信データ割当てを増加する命令を送信する。しかしながら、本発明はそれに制限されず、トランザクションに加えて、アクセス及びコメント等の他の操作も実現可能である。
【００３０】
本発明の多様な方法の実施形態はすべてソフトウェア、ハードウェア、ファームウェア等の形式で実装できる。本発明がソフトウェアの形式で実装されるのか、ハードウェアの形式で実装されるのか、もしくはファームウェアの形式で実装されるのかに関わらず、任意のタイプのコンピュータアクセス可能記憶装置（例えば、恒久的または修正可能、揮発性または不揮発性、ソリッドステートまたは非ソリッドステート、固定または交換可能な媒体等）に命令コードを記憶できる。同様に、記憶装置は、例えばプログラム可能アレー論理（ＰＬＡ）、ランダムアクセスメモリ（ＲＡＭ）、プログラマブルＲＯＭ（ＰＲＯＭ）、読出し専用メモリ（ＲＯＭ）、電気的消去可能・プログラム可能型読取専用メモリ（「ＥＥＰＲＯＭ」）、磁気ディスク、光ディスク、デジタル多用途ディスク（ＤＶＤ）等であってよい。
【００３１】
また、本発明の第２の実施形態は、通信データアカウント処理方法にも関する。図２は、処理方法の概略フローチャートである。
【００３２】
具体的には、「再充電」に類似する操作が第１の実施形態に実行される。第２の実施形態は、実質的に第１の実施形態に類似し、「与える」に類似する操作を実行する。図２に示されるように、処理方法は以下の操作を含む。
【００３３】
ステップＳ２０１で、端末ユーザーと関連付けられた通信データアカウントが端末ユーザー向けに確立され、通信データアカウントに対応する通信データリソース情報が記憶される。通信データリソース情報は、通信データアカウントの対応する通信データ割当てのサイズを示す。
【００３４】
ステップＳ２０２は次いで、通信データアカウントのための端末ユーザーの通信データ割当て修正命令を受信するために実行される。通信データ割当て修正命令は別の端末ユーザーと関連付けられた通信データアカウント、及び他の端末ユーザーと関連付けられた通信データアカウントに転送される通信データ割当ての量を含む。
【００３５】
ステップＳ２０３は次いで、通信データ割当て修正命令に従って他の端末ユーザーと関連付けられた通信データアカウントに対応する通信データリソース情報を更新するために実行される。
【００３６】
次いで、処理は終了する。
【００３７】
理解を容易にするために、上記ステップに従った操作のインスタンスが本明細書に提供される。このインスタンスでは、端末ユーザーがサードパーティユーザーとして行動する業者とのトランザクションを実行した後に、業者は通信データ割当て修正命令を送信する。このインスタンスが例にすぎないことが理解できる。本発明はそれに制限されず、他の場合にも適用可能であってよい。
【００３８】
端末ユーザーはウェブページまたは携帯電話アプリケーション（アプリ）を通して業者にアクセスした後、業者に対してトランザクションを実行する。業者はトランザクションが成功したことを確認した後、ユーザーのための通信データ割当てを増加する通信データ割当て修正命令（例えば、対応するプラットフォームのＡＰＩ／ＳＤＫを呼び出す）を送信する。プラットフォームは通信データ割当て修正命令に従ってユーザーと関連付けられた通信データアカウントにデータ割当てを配信する。実際の要件に従って、ユーザーは通信データアカウントのデータ割当てに対して「再充電する」操作または「与える」操作を実行してよい。「再充電する」操作の場合、操作は、端末装置のモバイル通信モデルに従って通信モデルプロバイダに対応する専用のインタフェースを選択することによって実行されてよく、ユーザーの（スマートフォン等の）端末装置はいかなるの制限に悩むことなく任意の通信モデルで「再充電」を実行できる。「与える」操作の場合、端末ユーザーは通信データ割当て修正命令を送信することによって別の端末ユーザーのための通信データ割当てを増加させてよい。
【００３９】
本発明の第３の実施形態は通信データアカウント処理装置に関する。図３は、通信データアカウント処理装置の概略構造図である。本発明の実際の構造は実際の要件に従って必要な調整を用いて作られてよく、図３の構造に制限されない。
【００４０】
具体的には、処理装置は操作命令に従って通信データリソース情報を更新する。図３に示されるように、処理装置１００は、
端末ユーザーと関連付けられた通信データアカウントを端末ユーザー向けに確立し、通信データアカウントに対応する通信データリソース情報を記憶するように構成されたデータ割当て記憶ユニット１０１と、
通信データアカウントのために端末ユーザーの操作命令を受信するように構成された命令受信ユニット１０２であって、操作命令がモバイル通信識別子を含む、命令受信ユニット１０２と、
モバイル通信識別子に対応する通信サービスプロバイダを識別するように構成された識別ユニット１０３と、
通信サービスプロバイダのシステムインタフェースとの接続を確立し、通信サービスプロバイダのシステムインタフェースにモバイル通信識別子及びユーザーの操作命令を送信するように構成された命令送信ユニット１０４と、
通信サービスプロバイダのシステムインタフェースの応答情報を受信するように構成された応答受信ユニット１０５と、
応答情報に従って通信データアカウントに対し操作を実行するように構成された操作ユニット１０６と、
を含む。
【００４１】
第１の実施形態は、本実施形態に対応する方法の実施形態であり、本実施形態は第１の実施形態と併せて実装されてよい。冗長性を回避するために本明細書では繰り返し説明されない第１の実施形態に言及される関係する技術的な詳細は本実施形態でも効果的である。相応して、本実施形態で言及される関係する技術的な詳細も第１の実施形態に適用可能である。
【００４２】
また、本発明の第４の実施形態は通信データアカウント処理装置にも関する。図４は通信データアカウント処理装置の概略構造図である。本発明の実際の構造は実際の要件に従って必要な調整と行われてよく、図４の構造に制限されない。
【００４３】
具体的には、処理装置は操作命令に従って通信データリソース情報を更新する。図４に示されるように、処理装置２００は、
端末ユーザーと関連付けられた通信データアカウントを端末ユーザー向けに確立し、通信データアカウントに対応する通信データリソース情報を記憶するように構成されたデータ割当て記憶ユニット２０１であって、通信データリソース情報が通信データアカウントの対応する通信データ割当てのサイズを示す、データ割当て記憶ユニット２０１と、
通信データアカウントのための端末ユーザーの通信データ割当て修正命令を受信するように構成された命令受信ユニット２０２であって、通信データ割当て修正命令が別の端末ユーザーと関連付けられた通信データアカウント、及び他の端末ユーザーと関連付けられた通信データアカウントに転送される通信データ割当ての量を含む、命令受信ユニット２０２と、
通信データ割当て修正命令に従って他の端末ユーザーと関連付けられた通信データアカウントに対応する通信データリソース情報を更新するように構成されたデータ割当て更新ユニット２０３と、
を含む。
【００４４】
第２の実施形態は本実施形態に対応する方法の実施態様であり、本実施形態は第２の実施態様と併せて実装されてよい。冗長性を回避するために本明細書では繰り返し説明されない第２の実施形態で言及される関係する技術的な詳細は本実施形態でも効果的である。相応して、本実施形態で言及される関係する技術的な詳細も第２の実施形態に適用可能である。
【００４５】
本発明の装置の実施形態に言及される多様なユニットがすべて論理ユニットであることが留意されたい。物理的に、論理ユニットは物理ユニットまたは物理ユニットの一部であってよく、複数の物理ユニットの組合せとして実装されてもよい。これらの論理ユニットの物理的な実施形態は本質的に最も重要ではないが、論理ユニットによって実装される機能の組合せは本発明で提起される技術的課題を解決するためのキーである。さらに、本発明の革新的な部分を強調するために、本発明の装置の実施態様は本発明で提起される技術的課題を解決することに密接に関連付けされすぎないユニットを導入しない。これは、装置の実施態様が他のユニットを有さないことを示さない。
【００４６】
本願の特許請求の範囲及び明細書の「ｆｉｒｓｔ（第１の）」及び「ｓｅｃｏｎｄ（第２の）」等の関係語は、あるエンティティまたは操作を別のエンティティまたは操作から区別するために使用されるにすぎず、必ずしもこれらのエンティティまたは操作の間のいかなる係る実際の関係性もしくは順序も必要としない、または暗示しないことに留意されたい。さらに、用語「ｉｎｃｌｕｄｅ（含む）」、「ｃｏｍｐｒｉｓｅ（含む）」またはその任意の他の変形が非排他的な包含を網羅することを目的とし、これにより、一連の要素を含むプロセス、方法、製品、もしくは装置はこれらの要素だけではなく、明示的に示されない他の要素も含む、またはプロセス、方法、製品、もしくは装置の固有の要素をさらに含む。追加の制限のない状況では、文「ｉｎｃｌｕｄｉｎｇ  ａ／ａｎ．．．（を含む）」によって定義される要素は、この要素を含むプロセス、方法、製品、または装置の追加の同一の要素を除外しない。
【００４７】
本発明は本発明の特定の好適実施態様に関して示され、説明されてきたが、当業者は多様な変更を、本発明の精神及び精神から逸脱することのない形式及び詳細で本発明に加えることができることを理解するべきである。
【図１】
2018506193.tif 000003
【図２】
2018506193.tif 000004
【図３】
2018506193.tif 000005
【図４】
2018506193.tif 000006
【国際調査報告】
2018506193.tif 000007
2018506193.tif 000008
2018506193.tif 000009
2018506193.tif 000010